【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】
入力された画像情報を符号化する符号化装置であって、
前記画像情報を、変換ブロック毎に直交変換する直交変換手段と、
前記画像情報が対応する画像の画質情報を含む品質情報に基づいて、前記画像情報の量子化精度を決定する量子化精度決定手段と、
前記量子化精度決定手段により決定された前記量子化精度に基づいて、前記直交変換手段により直交変換して得られた変換係数を量子化する量子化手段と、
前記量子化手段により量子化された前記変換係数を符号化する符号化手段と
を備えることを特徴とする符号化装置。
【請求項２】
前記直交変換手段により前記画像情報を直交変換して得られた前記変換係数より、直流成分を抽出する直流成分抽出手段と、
前記直流成分抽出手段により抽出された前記変換係数の直流成分のレベルを調整するレベル調整処理手段と、
前記レベル調整処理手段によりレベルが調整された前記変換係数の直流成分に対して、前記直交変換処理を実行する直流成分直交変換手段と
をさらに備えることを特徴とする請求項１に記載の符号化装置。
【請求項３】
前記量子化精度決定手段は、前記品質情報に含まれる、要求されている画質、前記画像情報を圧縮した画像圧縮情報が伝送される通信媒体の伝送速度若しくは伝送容量、または、前記画像圧縮情報が記録される記録媒体の記録密度若しくは記録容量の情報に基づいて、前記量子化精度を決定する
ことを特徴とする請求項１に記載の符号化装置。
【請求項４】
前記量子化精度決定手段は、前記量子化精度を８ビット乃至１１ビットの間で決定する
ことを特徴とする請求項１に記載の符号化装置。
【請求項５】
前記量子化精度決定手段により決定された前記量子化精度に基づいて、量子化処理における量子化ステップ幅を決定する量子化ステップ幅決定手段をさらに備え、
前記量子化手段は、前記量子化ステップ幅決定手段により決定された前記量子化ステップ幅を用いて、前記変換係数を量子化する
ことを特徴とする請求項１に記載の符号化装置。
【請求項６】
前記量子化手段は、
前記変換係数を、第１の量子化精度に基づいて量子化される第１のグループと、前記第１の量子化精度より低い精度である第２の量子化精度に基づいて量子化される第２のグループに分離する変換係数分離手段と、
前記第１のグループに含まれる前記変換係数を前記第１の量子化精度に基づいて量子化する第１の量子化処理手段と、
前記第２のグループに含まれる前記変換係数を前記第２の量子化精度に基づいて量子化する第２の量子化処理手段と、
前記第１の量子化処理手段により量子化された前記第１のグループの前記変換係数と、前記第２の量子化処理手段により量子化された前記第２のグループの前記変換係数を合成する変換係数合成手段と
を備え、
前記量子化精度決定手段は、前記品質情報に基づいて、前記第１の量子化精度および前記第２の量子化精度を決定する
ことを特徴とする請求項１に記載の符号化装置。
【請求項７】
前記量子化精度決定手段により決定される前記量子化精度の各精度にそれぞれ対応する、複数の符号化テーブルを保持する符号化テーブル保持手段と、
前記量子化精度決定手段により決定される前記量子化精度に基づいて、前記符号化テーブルを選択する符号化テーブル選択手段と
をさらに備え、
前記符号化手段は、前記符号化テーブル選択手段により選択された前記符号化テーブルを用いて、前記量子化された変換係数を符号化する
ことを特徴とする請求項１に記載の符号化装置。
【請求項８】
前記品質情報に基づいて、スキャンモードを決定するスキャンモード決定手段と、
前記スキャンモード決定手段により決定された前記スキャンモードで、前記直交変換手段により直交変換された前記変換ブロック毎の変換係数をスキャンするスキャン手段と
をさらに備え、
前記量子化手段は、前記スキャン手段によりスキャンされた前記変換係数を量子化する
ことを特徴とする請求項１に記載の符号化装置。
【請求項９】
前記量子化精度決定手段により決定される前記量子化精度の各精度にそれぞれ対応する、複数の量子化テーブルを保持する量子化テーブル保持手段と、
前記量子化精度決定手段により決定される前記量子化精度に基づいて、前記量子化テーブルを選択する量子化テーブル選択手段と
をさらに備え、
前記量子化手段は、前記量子化テーブル選択手段により選択された前記量子化テーブルを用いて、前記変換係数を量子化する
ことを特徴とする請求項１に記載の符号化装置。
【請求項１０】
入力された画像情報を符号化する符号化装置の符号化方法であって、
前記画像情報を、変換ブロック毎に直交変換する直交変換ステップと、
前記画像情報が対応する画像の画質情報を含む品質情報に基づいて、前記画像情報の量子化精度を決定する量子化精度決定ステップと、
前記量子化精度決定ステップの処理により決定された前記量子化精度により、前記直交変換ステップの処理により直交変換して得られた変換係数を量子化する量子化ステップと、
前記量子化ステップの処理により量子化された前記変換係数を符号化する符号化ステップと
を含むことを特徴とする符号化方法。
【請求項１１】
入力された画像情報を符号化する符号化装置用のプログラムであって、
前記画像情報を、変換ブロック毎に直交変換する直交変換ステップと、
前記画像情報が対応する画像の画質情報を含む品質情報に基づいて、前記画像情報の量子化精度を決定する量子化精度決定ステップと、
前記量子化精度決定ステップの処理により決定された前記量子化精度に基づいて、前記直交変換ステップの処理により直交変換して得られた変換係数を量子化する量子化ステップと、
前記量子化ステップの処理により量子化された前記変換係数を符号化する符号化ステップと
を含むことを特徴とするコンピュータが読み取り可能なプログラムが記録されている記録媒体。
【請求項１２】
入力された画像情報を符号化する符号化装置を制御するコンピュータが実行可能なプログラムであって、
前記画像情報を、変換ブロック毎に直交変換する直交変換ステップと、
前記画像情報が対応する画像の画質情報を含む品質情報に基づいて、前記画像情報の量子化精度を決定する量子化精度決定ステップと、
前記量子化精度決定ステップの処理により決定された前記量子化精度に基づいて、前記直交変換ステップの処理により直交変換して得られた変換係数を量子化する量子化ステップと、
前記量子化ステップの処理により量子化された前記変換係数を符号化する符号化ステップと
を含むことを特徴とするプログラム。
【請求項１３】
入力された画像圧縮情報を復号する復号装置であって、
前記画像圧縮情報を復号する復号手段と、
前記復号手段による復号処理により得られた画像情報が対応する画像の画質情報を含む品質情報に基づいて、前記画像情報の逆量子化精度を決定する逆量子化精度決定手段と、
前記逆量子化精度決定手段により決定された前記逆量子化精度に基づいて、前記画像情報に含まれる量子化された変換係数を逆量子化する逆量子化手段と、
前記逆量子化手段による逆量子化処理により得られた前記変換係数を、変換ブロック毎に逆直交変換する逆直交変換手段と
を備えることを特徴とする復号装置。
【請求項１４】
前記逆量子化精度決定手段により決定される前記逆量子化精度の各精度にそれぞれ対応する、複数の復号テーブルを保持する復号テーブル保持手段と、
前記逆量子化精度決定手段により決定される前記逆量子化精度に基づいて、前記復号テーブルを選択する復号テーブル選択手段と
をさらに備え、
前記復号手段は、前記復号テーブル選択手段により選択された前記復号テーブルを用いて、入力された前記画像圧縮情報を復号する
ことを特徴とする請求項１３に記載の復号装置。
【請求項１５】
前記逆量子化精度決定手段は、前記品質情報に含まれる、要求されている画質、前記画像圧縮情報が伝送される通信媒体の伝送速度若しくは伝送容量、または、前記画像圧縮情報が記録される記録媒体の記録密度若しくは記録容量の情報に基づいて、前記逆量子化精度を決定する
ことを特徴とする請求項１３に記載の復号装置。
【請求項１６】
前記逆量子化精度決定手段により決定された前記逆量子化精度に基づいて、逆量子化ステップ幅を決定する逆量子化ステップ幅決定手段をさらに備え、
前記逆量子化手段は、前記逆量子化ステップ幅決定手段により決定された前記逆量子化ステップ幅を用いて、前記量子化された変換係数を逆量子化する
ことを特徴とする請求項１３に記載の復号装置。
【請求項１７】
前記逆量子化手段は、
前記量子化された変換係数を、第１の逆量子化精度に基づいて逆量子化される第１のグループと、前記第１の逆量子化精度より低い精度である第２の逆量子化精度に基づいて逆量子化される第２のグループに分離する変換係数分離手段と、
前記第１のグループに含まれる前記量子化された変換係数を前記第１の逆量子化精度に基づいて逆量子化する第１の逆量子化処理手段と、
前記第２のグループに含まれる前記量子化された変換係数を前記第２の逆量子化精度に基づいて逆量子化する第２の逆量子化処理手段と、
前記第１の逆量子化処理手段により逆量子化された前記第１のグループの前記変換係数と、前記第２の逆量子化処理手段により逆量子化された前記第２のグループの前記変換係数を合成する変換係数合成手段と
を備え、
前記逆量子化精度決定手段は、前記品質情報に基づいて、前記第１の逆量子化精度および前記第２の逆量子化精度を決定する
ことを特徴とする請求項１３に記載の復号装置。
【請求項１８】
前記品質情報に基づいて、逆スキャンモードを決定する逆スキャンモード決定手段と、
前記逆スキャンモード決定手段により決定された前記逆スキャンモードで、前記逆量子化手段により逆量子化された前記変換係数を逆スキャンする逆スキャン手段と
をさらに備え、
前記逆直交変換手段は、前記逆スキャン手段により逆スキャンされた前記変換ブロック毎の変換係数を逆直交変換する
ことを特徴とする請求項１３に記載の復号装置。
【請求項１９】
前記逆量子化精度決定手段により決定される前記逆量子化精度の各精度にそれぞれ対応する、複数の逆量子化テーブルを保持する逆量子化テーブル保持手段と、
前記逆量子化精度決定手段により決定される前記逆量子化精度に基づいて、前記逆量子化テーブルを選択する逆量子化テーブル選択手段と
をさらに備え、
前記逆量子化手段は、前記逆量子化テーブル選択手段により選択された前記逆量子化テーブルを用いて、前記量子化された変換係数を逆量子化する
ことを特徴とする請求項１３に記載の復号装置。
【請求項２０】
逆量子化された前記変換係数の直流成分に対して、前記逆直交変換処理を実行する直流成分逆直交変換手段と、
前記直流成分逆直交変換手段により逆直交変換された前記変換係数の直流成分のレベルを調整するレベル調整処理手段と、
前記レベル調整処理手段によりレベルが調整された前記変換係数の直流成分と、前記変換係数の交流成分を合成する変換係数合成手段と
をさらに備え、
前記逆直交変換手段は、前記変換係数合成手段により合成された前記変換係数を逆直交変換する
ことを特徴とする請求項１３に記載の復号装置。
【請求項２１】
入力された画像圧縮情報を復号する復号装置の符号化方法であって、
前記画像圧縮情報を復号する復号ステップと、
前記復号ステップの処理による復号処理により得られた画像情報が対応する画像の画質情報を含む品質情報に基づいて、前記画像情報の逆量子化精度を決定する逆量子化精度決定ステップと、
前記逆量子化精度決定ステップの処理により決定された前記逆量子化精度に基づいて、前記画像情報に含まれる量子化された変換係数を逆量子化する逆量子化ステップと、
前記逆量子化ステップの処理による逆量子化処理により得られた前記変換係数を、変換ブロック毎に逆直交変換する逆直交変換ステップと
を含むことを特徴とする復号方法。
【請求項２２】
入力された画像圧縮情報を復号する復号装置用のプログラムであって、
前記画像圧縮情報を復号する復号ステップと、
前記復号ステップの処理による復号処理により得られた画像情報が対応する画像の画質情報を含む品質情報に基づいて、前記画像情報の逆量子化精度を決定する逆量子化精度決定ステップと、
前記逆量子化精度決定ステップの処理により決定された前記逆量子化精度に基づいて、前記画像情報に含まれる量子化された変換係数を逆量子化する逆量子化ステップと、
前記逆量子化ステップの処理による逆量子化処理により得られた前記変換係数を、変換ブロック毎に逆直交変換する逆直交変換ステップと
を含むことを特徴とするコンピュータが読み取り可能なプログラムが記録されている記録媒体。
【請求項２３】
入力された画像圧縮情報を復号する復号装置を制御するコンピュータが実行可能なプログラムであって、
前記画像圧縮情報を復号する復号ステップと、
前記復号ステップの処理による復号処理により得られた画像情報が対応する画像の画質情報を含む品質情報に基づいて、前記画像情報の逆量子化精度を決定する逆量子化精度決定ステップと、
前記逆量子化精度決定ステップの処理により決定された前記逆量子化精度に基づいて、前記画像情報に含まれる量子化された変換係数を逆量子化する逆量子化ステップと、
前記逆量子化ステップの処理による逆量子化処理により得られた前記変換係数を、変換ブロック毎に逆直交変換する逆直交変換ステップと
を含むことを特徴とするプログラム。
【手続補正２】
【補正対象書類名】明細書
【補正対象項目名】００５７
【補正方法】削除
【補正の内容】
【手続補正３】
【補正対象書類名】明細書
【補正対象項目名】００５８
【補正方法】削除
【補正の内容】
【手続補正４】
【補正対象書類名】明細書
【補正対象項目名】００５９
【補正方法】削除
【補正の内容】
【手続補正５】
【補正対象書類名】明細書
【補正対象項目名】００６０
【補正方法】削除
【補正の内容】
【手続補正６】
【補正対象書類名】明細書
【補正対象項目名】００６１
【補正方法】削除
【補正の内容】
【手続補正７】
【補正対象書類名】明細書
【補正対象項目名】００６２
【補正方法】削除
【補正の内容】
【手続補正８】
【補正対象書類名】明細書
【補正対象項目名】００６３
【補正方法】削除
【補正の内容】
【手続補正９】
【補正対象書類名】明細書
【補正対象項目名】００６４
【補正方法】削除
【補正の内容】
【手続補正１０】
【補正対象書類名】明細書
【補正対象項目名】００６６
【補正方法】削除
【補正の内容】
【手続補正１１】
【補正対象書類名】明細書
【補正対象項目名】００７１
【補正方法】削除
【補正の内容】
【手続補正１２】
【補正対象書類名】明細書
【補正対象項目名】００７２
【補正方法】削除
【補正の内容】
【手続補正１３】
【補正対象書類名】明細書
【補正対象項目名】００７３
【補正方法】削除
【補正の内容】
【手続補正１４】
【補正対象書類名】明細書
【補正対象項目名】００７６
【補正方法】削除
【補正の内容】
【手続補正１５】
【補正対象書類名】明細書
【補正対象項目名】００８２
【補正方法】削除
【補正の内容】
【手続補正１６】
【補正対象書類名】明細書
【補正対象項目名】００８３
【補正方法】削除
【補正の内容】
【手続補正１７】
【補正対象書類名】明細書
【補正対象項目名】００８４
【補正方法】削除
【補正の内容】
【手続補正１８】
【補正対象書類名】明細書
【補正対象項目名】００８５
【補正方法】削除
【補正の内容】
【手続補正１９】
【補正対象書類名】明細書
【補正対象項目名】００８８
【補正方法】削除
【補正の内容】
【手続補正２０】
【補正対象書類名】明細書
【補正対象項目名】００９１
【補正方法】削除
【補正の内容】
【手続補正２１】
【補正対象書類名】明細書
【補正対象項目名】００９２
【補正方法】削除
【補正の内容】
【手続補正２２】
【補正対象書類名】明細書
【補正対象項目名】００９３
【補正方法】削除
【補正の内容】
【手続補正２３】
【補正対象書類名】明細書
【補正対象項目名】００９５
【補正方法】削除
【補正の内容】
【手続補正２４】
【補正対象書類名】明細書
【補正対象項目名】００９７
【補正方法】削除
【補正の内容】
【手続補正２５】
【補正対象書類名】明細書
【補正対象項目名】００９８
【補正方法】削除
【補正の内容】
【手続補正２６】
【補正対象書類名】明細書
【補正対象項目名】０１００
【補正方法】削除
【補正の内容】